(57)【特許請求の範囲】
【請求項１】
複数の店舗に備えられた、カード利用による買上ポイント付与・充当装置と、前記買上ポイント付与・充当装置において付与・充当された買上ポイントの決済処理をおこなう買上ポイント決済処理サーバとがネットワークで接続されており、
前記買上ポイント付与・充当装置が、
カード利用の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、
前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、
前記オーナーポイント数から前記買上ポイント数換算手段による換算の対象となったオーナーポイント数を減算するよう前記記録媒体に記録されたオーナーポイント数情報を書き換える書き換え手段と、
前記買上ポイント数換算手段によって換算された非オーナーポイント数に応じた金額分を前記非オーナー店舗における買上に対する支払いの全部または一部に充当する充当手段と、
前記オーナー店舗情報と、前記買上ポイント数換算手段による換算の対象となったオーナーポイント数に関する情報と、前記充当手段によって充当の対象となった非オーナーポイント数に関する情報と、前記非オーナ店舗におけるカード利用金額および当該カード利用金額にともなうオーナーポイント数に関する利用金額情報とを、前記買上ポイント決済処理サーバへ送信する決済情報送信手段と、
を備え、
前記買上ポイント決済処理サーバが、
前記買上ポイント付与・充当装置から送信された、前記オーナー店舗に関するオーナー店舗情報と、前記買上ポイント付与・充当装置の換算の対象となったオーナーポイント数に関するオーナーポイント数情報と、前記買上ポイント付与・充当装置の充当の対象となった非オーナーポイント数に関する非オーナーポイント数情報と、前記利用金額情報と、を受信する受信手段と、
前記受信手段によって受信されたオーナー店舗情報、オーナーポイント数情報、非オーナーポイント数情報および前記利用金額情報に基づいて、前記買上ポイント付与・充当装置の換算の対象となったオーナーポイント数を前記顧客に与えた前記オーナ店舗へカード会社が支払う第１の支払金額および／または前記非オーナーポイント数に応じた金額分を買上に対する支払いの全部または一部に充当した前記非オーナ店舗へカード会社が支払う第２の支払金額を算出する買上ポイント決済額算出手段と、
を備え、
前記第１の支払金額は、前記オーナー店舗におけるカード利用金額または当該カード利用金額から所定の手数料を引いた金額に前記オーナー店舗における前記オーナーポイント数に応じた金額を減算し、かつ、前記非オーナー店舗の買上ポイント付与・充当装置の換算の対象となったオーナーポイント数から前記非オーナー店舗の買上ポイント付与・充当装置の充当の対象となった非オーナーポイントを減算して他店利用還元差分とし、当該他店利用還元差分に応じた金額に基づく金額を加算した金額であり、
前記第２の支払金額は、カード利用金額または当該カード利用金額から所定の手数料を引いた金額に前記オーナー店舗における前記オーナーポイント数に応じた金額を加算し、かつ、前記非オーナー店舗の買上ポイント付与・充当装置の換算の対象となったオーナーポイント数から前記非オーナー店舗の買上ポイント付与・充当装置の充当の対象となった非オーナーポイントを減算して他店利用還元差分とし、当該他店利用還元差分に応じた金額、および前記非オーナー店舗におけるオーナーポイント数に応じた金額を減算した金額であることを特徴とする買上ポイント提携システム。
【請求項２】
複数の店舗に備えられた買上ポイント付与・充当装置と、前記買上ポイント付与・充当装置において付与・充当された買上ポイントの決済処理をおこなう買上ポイント決済処理サーバとがネットワークで接続されており、
前記買上ポイント付与・充当装置が、
買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、
前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、
前記オーナーポイント数から前記買上ポイント数換算手段による換算の対象となったオーナーポイント数を減算するよう前記記録媒体に記録されたオーナーポイント数情報を書き換える書き換え手段と、
前記買上ポイント数換算手段によって換算された非オーナーポイント数に応じた金額分を前記非オーナー店舗における買上に対する支払いの全部または一部に充当する充当手段と、
前記オーナー店舗情報と、前記買上ポイント数換算手段による換算の対象となったオーナーポイント数に関する情報と、前記充当手段によって充当の対象となった非オーナーポイント数に関する情報とを、前記買上ポイント決済処理サーバへ送信する決済情報送信手段と、
を備え、
前記買上ポイント決済処理サーバが、
前記買上ポイント付与・充当装置から送信された、前記オーナー店舗に関するオーナー店舗情報と、前記買上ポイント付与・充当装置の換算の対象となったオーナーポイント数に関するオーナーポイント数情報と、前記買上ポイント付与・充当装置の充当の対象となった非オーナーポイント数に関する非オーナーポイント数情報とを受信する受信手段と、
前記受信手段によって受信されたオーナー店舗情報、オーナーポイント数情報および非オーナーポイント数情報に基づいて、前記オーナー店舗へ支払う支払金額を算出するオーナーズメリット算出手段と、
を備え、
前支払金額は、前記非オーナー店舗の買上ポイント付与・充当装置の換算の対象となったオーナーポイント数から前記非オーナー店舗の買上ポイント付与・充当装置の充当の対象となった非オーナーポイントを減算して他店利用還元差分とし、当該他店利用還元差分に応じた金額に基づく金額を加算した金額であることを特徴とする買上ポイント提携システム。
【請求項３】
前記記録媒体がＩＣカードであり、前記受取手段および前記書き換え手段が、前記ＩＣカードと接続してデータの送受信が可能なインタフェースを備えていることを特徴とする請求項１または２に記載の買上ポイント提携システム。
【請求項４】
買上ポイント付与・充当装置から送信された、あらかじめ定められた店舗（以下「オーナー店舗」という）に関するオーナー店舗情報と、前記買上ポイント付与・充当装置の換算の対象となった、カード利用の金額に応じて顧客に与えられた買上ポイント数（以下「オーナーポイント数」という）に関するオーナーポイント数情報と、前記買上ポイント付与・充当装置の充当の対象となった、前記オーナー店舗以外の店舗（以下「非オーナー店舗」という）における買上に対する支払いの全部または一部に充当する際、前記オーナー店舗情報に基づくあらかじめ定められた店舗間レートによって新たな買上ポイント数（以下「非オーナーポイント数」という）に関する非オーナーポイント数情報と、前記非オーナ店舗におけるカード利用金額および当該カード利用金額にともなうオーナーポイント数に関する利用金額情報とを受信する受信手段と、
前記受信手段によって受信されたオーナー店舗情報、オーナーポイント数情報、非オーナーポイント数情報および前記利用金額情報に基づいて、前記買上ポイント付与・充当装置の換算の対象となったオーナーポイント数を前記顧客に与えた前記オーナ店舗へカード会社が支払う第１の支払金額および／または前記非オーナーポイント数に応じた金額分を買上に対する支払いの全部または一部に充当した前記非オーナ店舗へカード会社が支払う第２の支払金額を算出する買上ポイント決済額算出手段と、
を備え、
前記第１の支払金額は、前記オーナー店舗におけるカード利用金額または当該カード利用金額から所定の手数料を引いた金額に前記オーナー店舗における前記オーナーポイント数に応じた金額を減算し、かつ、前記非オーナー店舗の買上ポイント付与・充当装置の換算の対象となったオーナーポイント数から前記非オーナー店舗の買上ポイント付与・充当装置の充当の対象となった非オーナーポイントを減算して他店利用還元差分とし、当該他店利用還元差分に応じた金額に基づく金額を加算した金額であり、
前記第２の支払金額は、カード利用金額または当該カード利用金額から所定の手数料を引いた金額に前記オーナー店舗における前記オーナーポイント数に応じた金額を加算し、かつ、前記非オーナー店舗の買上ポイント付与・充当装置の換算の対象となったオーナーポイント数から前記非オーナー店舗の買上ポイント付与・充当装置の充当の対象となった非オーナーポイントを減算して他店利用還元差分とし、当該他店利用還元差分に応じた金額、および前記非オーナー店舗におけるオーナーポイント数に応じた金額を減算した金額であることを特徴とする買上ポイント決済処理サーバ。
【請求項５】
買上ポイント付与・充当装置から送信された、あらかじめ定められた店舗（以下「オーナー店舗」という）に関するオーナー店舗情報と、前記買上ポイント付与・充当装置の換算の対象となった、買上の金額に応じて顧客に与えられた買上ポイント数（以下「オーナーポイント数」という）に関するオーナーポイント数情報と、前記買上ポイント付与・充当装置の充当の対象となった、前記オーナー店舗以外の店舗（以下「非オーナー店舗」という）における買上に対する支払いの全部または一部に充当する際、前記オーナー店舗情報に基づくあらかじめ定められた店舗間レートによって新たな買上ポイント数（以下「非オーナーポイント数」という）に関する非オーナーポイント数情報とを受信する受信手段と、
前記受信手段によって受信されたオーナー店舗情報、オーナーポイント数情報および非オーナーポイント数情報に基づいて、前記オーナー店舗へ支払う支払金額を算出するオーナーズメリット算出手段と、
を備え、
前支払金額は、前記非オーナー店舗の買上ポイント付与・充当装置の換算の対象となったオーナーポイント数から前記非オーナー店舗の買上ポイント付与・充当装置の充当の対象となった非オーナーポイントを減算して他店利用還元差分とし、当該他店利用還元差分に応じた金額に基づく金額を加算した金額であることを特徴とする買上ポイント決済処理サーバ。
【請求項６】
カード利用の金額に応じて顧客に与えられた買上ポイント数（以下「オーナーポイント数」という）に関する情報をコンピュータが読み取り可能な記録媒体を用いて記録する買上ポイント数情報記録工程と、
前記記録媒体に記録されているオーナーポイント数の全部または一部を、あらかじめ定められた店舗（以下「オーナー店舗」という）以外の店舗（以下「非オーナー店舗」という）における買上に対する支払いの全部または一部に充当する際、前記オーナー店舗または前記オーナー店舗の業種に関する情報に基づくあらかじめ定められた店舗間レートによって新たな買上ポイント数（以下「非オーナーポイント数」という）に換算する買上ポイント数換算工程と、
前記オーナーポイント数から前記買上ポイント数換算工程による換算の対象となったオーナーポイント数を減算するよう前記記録媒体に記録されたオーナーポイント数情報を書き換える書き換え工程と、
前記買上ポイント数換算工程によって換算された非オーナーポイント数に応じた金額分を前記非オーナー店舗における買上に対する支払いの全部または一部に充当する充当工程と、
前記オーナー店舗情報と、前記買上ポイント数換算工程による換算の対象となったオーナーポイント数に関する情報と、前記充当工程によって充当の対象となった非オーナーポイント数に関する情報と、前記非オーナ店舗におけるカード利用金額および当該カード利用金額にともなうオーナーポイント数に関する利用金額情報と、基づいて、前記買上ポイント数換算工程による換算の対象となったオーナーポイント数を前記顧客に与えた前記オーナ店舗へカード会社が支払う第１の支払金額および／または前記非オーナーポイント数に応じた金額分を買上に対する支払いの全部または一部に充当した前記非オーナ店舗へカード会社が支払う第２の支払金額を算出する買上ポイント決済額算出工程と、
を備え、
前記第１の支払金額は、前記オーナー店舗におけるカード利用金額または当該カード利用金額から所定の手数料を引いた金額に前記オーナー店舗における前記オーナーポイント数に応じた金額を減算し、かつ、前記非オーナー店舗の換算の対象となったオーナーポイント数から前記非オーナー店舗の充当の対象となった非オーナーポイントを減算して他店利用還元差分とし、当該他店利用還元差分に応じた金額に基づく金額を加算した金額であり、
前記第２の支払金額は、カード利用金額または当該カード利用金額から所定の手数料を引いた金額に前記オーナー店舗における前記オーナーポイント数に応じた金額を加算し、かつ、前記非オーナー店舗の換算の対象となったオーナーポイント数から前記非オーナー店舗の充当の対象となった非オーナーポイントを減算して他店利用還元差分とし、当該他店利用還元差分に応じた金額、および前記非オーナー店舗におけるオーナーポイント数に応じた金額を減算した金額であることを特徴とする買上ポイント付与・充当方法。
【請求項７】
買上の金額に応じて顧客に与えられた買上ポイント数（以下「オーナーポイント数」という）に関する情報をコンピュータが読み取り可能な記録媒体を用いて記録する買上ポイント数情報記録工程と、
前記記録媒体に記録されているオーナーポイント数の全部または一部を、あらかじめ定められた店舗（以下「オーナー店舗」という）以外の店舗（以下「非オーナー店舗」という）における買上に対する支払いの全部または一部に充当する際、前記オーナー店舗または前記オーナー店舗の業種に関する情報に基づくあらかじめ定められた店舗間レートによって新たな買上ポイント数（以下「非オーナーポイント数」という）に換算する買上ポイント数換算工程と、
前記オーナーポイント数から前記買上ポイント数換算工程による換算の対象となったオーナーポイント数を減算するよう前記記録媒体に記録されたオーナーポイント数情報を書き換える書き換え工程と、
前記買上ポイント数換算工程によって換算された非オーナーポイント数に応じた金額分を前記非オーナー店舗における買上に対する支払いの全部または一部に充当する充当工程と、
前記オーナー店舗情報と、前記買上ポイント数換算工程による換算の対象となったオーナーポイント数に関する情報と、前記充当工程によって充当の対象となった非オーナーポイント数に関する情報と、基づいて、前記オーナー店舗へ支払う支払金額を算出するオーナーズメリット算出工程と、
を備え、
前支払金額は、前記非オーナー店舗の換算の対象となったオーナーポイント数から前記非オーナー店舗の充当の対象となった非オーナーポイントを減算して他店利用還元差分とし、当該他店利用還元差分に応じた金額に基づく金額を加算した金額であることを特徴とする買上ポイント付与・充当方法。
【請求項８】
前記請求項６〜７のいずれか一つに記載された方法をコンピュータに実行させるプログラム。
【請求項９】
前記請求項８に記載されたプログラムを記録したことを特徴とするコンピュータ読み取り可能な記録媒体。
【発明の詳細な説明】
【０００１】
【発明の属する技術分野】
この発明は、買上の金額に応じて与えられた買上ポイントを他の買上に対する支払いの全部または一部に充当することが可能な買上ポイント提携システム、買上ポイント充当装置、買上ポイント決済処理サーバ、ＩＣカード、買上ポイント付与・充当方法、買上ポイント付与・充当方法をコンピュータに実行させるプログラム、およびそのプログラムを記録したコンピュータ読み取り可能な記録媒体に関する。
【０００２】
【従来の技術】
買上に対して、所定の割合で買上ポイントを顧客に付与して、次回以降の買上の際にその買上の支払いの全部または一部に上記買上ポイントを充当させるというサービスが従来からおこなわれていた。上記買上ポイントは、顧客が所持する磁気カードやＩＣカードに記録され、買上の際にはそれらのカードに記録された買上ポイントに関する情報の書き換えがおこなわれていた。そして、買上ポイントは一般的に店舗ごとあるいは系列店舗ごとに独自に与えられていたので、他の店舗での利用をすることはできなかった。
【０００３】
【発明が解決しようとする課題】
ここで、異なる店舗間でポイントの相互交換が実現できなければ、顧客は各店舗ごとに買上ポイントを蓄積しなければならず、それゆえに、買上ポイント蓄積用のカードなどを各店舗ごと所持しなければならず、また、各店ごとのポイントであるため、実際には、一定ポイントに達せず還元利用せず捨てていたり、カードを紛失したりしており、顧客にとっての利便性が図れなかった。しかし、上記買上ポイントは、その買上ポイントが使われるとその分売り上げが減少するため、店舗における売り上げに影響をおよぼしてしまう。したがって、ポイントの相互交換を実施した場合、カード発行者の利益は計られず、顧客の囲い込みができず、本来の買上ポイント付与の目的を果たせなくなるという問題点があった。
【０００４】
この発明は、これらの問題点を解決するものであって、顧客の囲い込みなどを含むカード発行者の利益（オーナーズメリット）を担保しつつ、他の店舗との買上ポイントの交換を実現することが可能な買上ポイント提携システム、買上ポイント充当装置、買上ポイント決済処理サーバ、ＩＣカード、買上ポイント付与・充当方法、買上ポイント付与・充当方法をコンピュータに実行させるプログラム、およびそのプログラムを記録したコンピュータ読み取り可能な記録媒体を提供することを目的とする。
【０００５】
【課題を解決するための手段】
上述した課題を解決し、目的を達成するため、この発明にかかる買上ポイント提携システムは、複数の店舗に備えられた買上ポイント付与・充当装置と、前記買上ポイント付与・充当装置において付与・充当された買上ポイントの決済処理をおこなう買上ポイント決済処理サーバとがネットワークで接続されており、前記買上ポイント付与・充当装置が、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、前記オーナーポイント数から前記買上ポイント数換算手段による換算の対象となったオーナーポイント数を減算するよう前記記録媒体に記録されたオーナーポイント数情報を書き換える書き換え手段と、前記ポイント数換算手段によって換算された非オーナーポイント数に応じた金額分を前記非オーナー店舗における買上に対する支払いの全部または一部に充当する充当手段と、前記オーナー店舗情報と、前記買上ポイント数換算手段による換算の対象となったオーナーポイント数に関する情報と、前記充当手段によって充当の対象となった非オーナーポイント数に関する情報とを、前記買上ポイント決済処理サーバへ送信する決済情報送信手段と、を備え、前記買上ポイント決済処理サーバが、前記買上ポイント付与・充当装置から送信された、前記オーナー店舗に関するオーナー店舗情報と、前記買上ポイント充当装置の換算の対象となったオーナーポイント数に関するオーナーポイント数情報と、前記買上ポイント充当装置の充当の対象となった非オーナーポイント数に関する非オーナーポイント数情報とを受信する受信手段と、前記受信手段によって受信されたオーナー店舗情報、オーナーポイント数情報および非オーナーポイント数情報に基づいて、前記買上ポイント充当装置の換算の対象となったオーナーポイント数を前記顧客に与えた店舗が支払う支払金額および／または前記非オーナーポイント数に応じた金額分を買上に対する支払いの全部または一部に充当した店舗へ支払う支払金額を算出する買上ポイント決済額算出手段と、を備えたことを特徴とする。
【０００６】
この発明によれば、オーナー店舗で付与された買上ポイントを非オーナー店舗において使用した場合には、そのポイントの価値が減ぜられる。
【０００７】
また、この発明にかかる買上ポイント提携システムは、複数の店舗に備えられた買上ポイント付与・充当装置と、前記買上ポイント付与・充当装置において付与・充当された買上ポイントの決済処理をおこなう買上ポイント決済処理サーバとがネットワークで接続されており、前記買上ポイント付与・充当装置が、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、前記オーナーポイント数から前記買上ポイント数換算手段による換算の対象となったオーナーポイント数を減算するよう前記記録媒体に記録されたオーナーポイント数情報を書き換える書き換え手段と、前記ポイント数換算手段によって換算された非オーナーポイント数に応じた金額分を前記非オーナー店舗における買上に対する支払いの全部または一部に充当する充当手段と、前記オーナー店舗情報と、前記買上ポイント数換算手段による換算の対象となったオーナーポイント数に関する情報と、前記充当手段によって充当の対象となった非オーナーポイント数に関する情報とを、前記買上ポイント決済処理サーバへ送信する決済情報送信手段と、を備え、前記買上ポイント決済処理サーバが、前記買上ポイント付与・充当装置から送信された、前記オーナー店舗に関するオーナー店舗情報と、前記買上ポイント充当装置の換算の対象となったオーナーポイント数に関するオーナーポイント数情報と、前記買上ポイント充当装置の充当の対象となった非オーナーポイント数に関する非オーナーポイント数情報とを受信する受信手段と、前記受信手段によって受信されたオーナー店舗情報、オーナーポイント数情報および非オーナーポイント数情報に基づいて、前記オーナー店舗へ支払う支払金額を算出するオーナーズメリット算出手段と、を備えたことを特徴とする。
【０００８】
この発明によれば、オーナー店舗で付与された買上ポイントを非オーナー店舗において使用した場合には、そのポイントの価値が減ぜられ、減ぜられた価値の全部または一部をオーナーズメリットとすることができる。
【０００９】
また、この発明にかかる買上ポイント提携システムは、上記の発明において、前記記録媒体がＩＣカードであり、前記受取手段および前記書き換え手段が、前記ＩＣカードと接続してデータの送受信が可能なインタフェースを備えていることを特徴とする。
【００１０】
この発明によれば、買上ポイント数情報の読み出し、書き換えが容易におこなえる。
【００１１】
また、この発明にかかる買上ポイント充当装置は、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、前記オーナーポイント数から前記買上ポイント数換算手段による換算の対象となったオーナーポイント数を減算するよう前記記録媒体に記録されたオーナーポイント数情報を書き換える書き換え手段と、前記ポイント数換算手段によって換算された非オーナーポイント数に応じた金額分を前記非オーナー店舗における買上に対する支払いの全部または一部に充当する充当手段と、を備えたことを特徴とする。
【００１２】
この発明によれば、オーナー店舗で付与された買上ポイントを非オーナー店舗において使用した場合には、そのポイントの価値が減ぜられる。
【００１３】
また、この発明にかかる買上ポイント充当装置は、上記の発明において、さらに、前記オーナー店舗情報と、前記買上ポイント数換算手段による換算の対象となったオーナーポイント数に関する情報と、前記充当手段によって充当の対象となった非オーナーポイント数に関する情報とを、買上ポイントの決済処理をおこなう買上ポイント決済処理サーバへ送信する決済情報送信手段を備えたことを特徴とする。
【００１４】
この発明によれば、買上ポイントの決済処理の効率化を図ることができる。
【００１５】
また、この発明にかかる買上ポイント充当装置は、上記の発明において、前記オーナー店舗情報に基づいて前記記録媒体に付与されたポイントを買上の支払いの全部または一部に充当することが可能か否かを判断する判断手段と、前記判断手段による判断の結果、充当することができないと判断された場合はその旨を報知する報知手段と、を備えたことを特徴とする。
【００１６】
この発明によれば、買上ポイントの交換がおこなえる店舗であるか否かを容易に顧客に知らしめることができる。
【００１７】
また、この発明にかかる買上ポイント充当装置は、上記の発明において、前記充当手段によって充当された金額分をのぞく買上に応じて買上ポイント数を算出する買上ポイント算出手段を備え、前記書き換え手段が、前記買上ポイント算出手段によって算出された買上ポイント数を加算するよう前記記録媒体に記録されたオーナーポイント数情報を書き換えることを特徴とする。
【００１８】
この発明によれば、非オーナー店舗においても買上ポイントを蓄積することができる。
【００１９】
また、この発明にかかる買上ポイント充当装置は、上記の発明において、前記記録媒体がＩＣカードであり、前記受取手段が、前記ＩＣカードと接続してデータの送受信が可能なインタフェースを備えていることを特徴とする。
【００２０】
この発明によれば、買上ポイント数情報の読み出し、書き換えが容易におこなえる。
【００２１】
また、この発明にかかる買上ポイント決済処理サーバは、買上ポイント充当装置から送信された、あらかじめ定められた店舗（以下「オーナー店舗」という）に関するオーナー店舗情報と、前記買上ポイント充当装置の換算の対象となった、買上の金額に応じて顧客に与えられた買上ポイント数（以下「オーナーポイント数」という）に関するオーナーポイント数情報と、前記買上ポイント充当装置の充当の対象となった、前記オーナー店舗以外の店舗（以下「非オーナー店舗」という）における買上に対する支払いの全部または一部に充当する際、前記オーナー店舗情報に基づくあらかじめ定められた店舗間レートによって新たな買上ポイント数（以下「非オーナーポイント数」という）に関する非オーナーポイント数情報とを受信する受信手段と、前記受信手段によって受信されたオーナー店舗情報、オーナーポイント数情報および非オーナーポイント数情報に基づいて、前記買上ポイント充当装置の換算の対象となったオーナーポイント数を前記顧客に与えた店舗が支払う支払金額および／または前記非オーナーポイント数に応じた金額分を買上に対する支払いの全部または一部に充当した店舗へ支払う支払金額を算出する買上ポイント決済額算出手段と、を備えたことを特徴とする。
【００２２】
この発明によれば、オーナー店舗で付与された買上ポイントを非オーナー店舗において使用した場合には、そのポイントの価値が減ぜられ、また、各店舗間の決済処理を効率的におこなうことができる。
【００２３】
また、この発明にかかる買上ポイント決済処理サーバは、買上ポイント充当装置から送信された、あらかじめ定められた店舗（以下「オーナー店舗」という）に関するオーナー店舗情報と、前記買上ポイント充当装置の換算の対象となった、買上の金額に応じて顧客に与えられた買上ポイント数（以下「オーナーポイント数」という）に関するオーナーポイント数情報と、前記買上ポイント充当装置の充当の対象となった、前記オーナー店舗以外の店舗（以下「非オーナー店舗」という）における買上に対する支払いの全部または一部に充当する際、前記オーナー店舗情報に基づくあらかじめ定められた店舗間レートによって新たな買上ポイント数（以下「非オーナーポイント数」という）に関する非オーナーポイント数情報とを受信する受信手段と、前記受信手段によって受信されたオーナー店舗情報、オーナーポイント数情報および非オーナーポイント数情報に基づいて、前記オーナー店舗へ支払う支払金額を算出するオーナーズメリット算出手段と、を備えたことを特徴とする。
【００２４】
この発明によれば、オーナー店舗で付与された買上ポイントを非オーナー店舗において使用した場合には、そのポイントの価値が減ぜられ、減ぜられた価値の全部または一部をオーナーズメリットとしてオーナー店舗に与えられ、また、各店舗間の決済処理を効率的におこなうことができる。
【００２５】
また、この発明にかかるＩＣカードは、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とを記憶する記憶手段と、前記記憶手段によって記憶されたオーナーポイント数情報にかかるオーナーポイント数の全部または一部を、前記オーナー店舗以外の店舗（以下「非オーナー店舗」という）における買上に対する支払いの全部または一部に充当する際、前記非オーナー店舗に関する情報を受信する受信手段と、前記記憶手段によって記憶されたオーナー店舗情報および前記受信手段によって受信された非オーナー店舗に関する情報に基づくあらかじめ定められた店舗間レートによって新たな買上ポイント数（以下「非オーナーポイント数」という）に換算する買上ポイント数換算手段と、前記買上ポイント数換算手段によって換算された非オーナーポイント数に関する情報を送信する送信手段と、を備えたことを特徴とする。
【００２６】
この発明によれば、買上ポイント充当装置がなくても、オーナー店舗で付与された買上ポイントを非オーナー店舗において使用した場合には、そのポイントの価値を減ずることができる。
【００２７】
また、この発明にかかるＩＣカードは、上記の発明において、さらに、前記オーナーポイント数から前記買上ポイント数換算手段による換算の対象となったオーナーポイント数を減算するよう前記記憶手段によって記憶されたオーナーポイント数情報を書き換える書き換え手段を備えたことを特徴とする。
【００２８】
この発明によれば、買上ポイント充当装置がなくても、オーナー店舗で付与された買上ポイントを非オーナー店舗において使用した場合には、そのポイントの価値を減ずるようにポイント調整をすることができる。
【００２９】
また、この発明にかかる買上ポイント付与・充当方法は、買上の金額に応じて顧客に与えられた買上ポイント数（以下「オーナーポイント数」という）に関する情報をコンピュータが読み取り可能な記録媒体を用いて記録する買上ポイント数情報記録工程と、前記記録媒体に記録されているオーナーポイント数の全部または一部を、あらかじめ定められた店舗（以下「オーナー店舗」という）以外の店舗（以下「非オーナー店舗」という）における買上に対する支払いの全部または一部に充当する際、前記オーナー店舗または前記オーナー店舗の業種に関する情報に基づくあらかじめ定められた店舗間レートによって新たな買上ポイント数（以下「非オーナーポイント数」という）に換算する買上ポイント数換算工程と、前記オーナーポイント数から前記買上ポイント数換算手段による換算の対象となったオーナーポイント数を減算するよう前記記録媒体に記録されたオーナーポイント数情報を書き換える書き換え工程と、前記ポイント数換算工程によって換算された非オーナーポイント数に応じた金額分を前記非オーナー店舗における買上に対する支払いの全部または一部に充当する充当工程と、を含んだことを特徴とする。
【００３０】
この発明によれば、オーナー店舗で付与された買上ポイントを非オーナー店舗において使用した場合には、そのポイントの価値が減ぜられる。
【００３１】
また、この発明にかかる買上ポイント付与・充当方法は、上記の発明において、さらに、前記充当工程によって充当された金額分をのぞく買上に応じて買上ポイント数を算出する買上ポイント算出工程を含み、前記書き換え工程が、前記買上ポイント算出工程によって算出された買上ポイント数を加算するよう前記記録媒体に記録されたオーナーポイント数情報を書き換えることを特徴とする。
【００３２】
この発明によれば、オーナー店舗で付与された買上ポイントを非オーナー店舗において使用した場合には、そのポイントの価値を減ずるようにポイント調整をすることができる。
【００３３】
また、この発明にかかる買上ポイント付与・充当方法は、上記の発明において、さらに、前記オーナー店舗に関するオーナー店舗情報、前記買上ポイント充当装置の換算の対象となったオーナーポイント数に関するオーナーポイント数情報および前記買上ポイント充当装置の充当の対象となった非オーナーポイント数に関する非オーナーポイント数情報に基づいて、前記買上ポイント数換算工程において換算の対象となったオーナーポイント数を前記顧客に与えた店舗が支払う支払金額および／または前記非オーナーポイント数に応じた金額分を買上に対する支払いの全部または一部に充当した店舗へ支払う支払金額を算出するポイント決済額算出工程を含んだことを特徴とする。
【００３４】
この発明によれば、オーナー店舗で付与された買上ポイントを非オーナー店舗において使用した場合には、そのポイントの価値が減ぜられ、また、各店舗間の決済処理を効率的におこなうことができる。
【００３５】
また、この発明にかかる買上ポイント付与・充当方法は、上記の発明において、さらに、前記オーナー店舗に関するオーナー店舗情報、前記買上ポイント充当装置の換算の対象となったオーナーポイント数に関するオーナーポイント数情報および前記買上ポイント充当装置の充当の対象となった非オーナーポイント数に関する非オーナーポイント数情報に基づいて、前記オーナー店舗へ支払う支払金額を算出するオーナーズメリット算出工程を含んだことを特徴とする。
【００３６】
この発明によれば、オーナー店舗で付与された買上ポイントを非オーナー店舗において使用した場合には、そのポイントの価値が減ぜられ、減ぜられた価値の全部または一部をオーナーズメリットとしてオーナー店舗に与えられ、また、各店舗間の決済処理を効率的におこなうことができる。
【００３７】
また、この発明にかかるプログラムは、上記の方法をコンピュータに実行させることができる。
【００３８】
また、この発明にかかるコンピュータ読み取り可能な記録媒体は、上記のプログラムを記録したことを特徴とする。
【００３９】
この発明によれば、上記の方法をコンピュータに実行させるプログラムを記録したことで、そのプログラムをコンピュータ読み取り可能となり、これによって、上記の動作をコンピュータによって実現することができる。
【００４０】
【発明の実施の形態】
以下に添付図面を参照して、この発明にかかる買上ポイント提携システム、買上ポイント充当装置、買上ポイント決済処理サーバ、ＩＣカード、買上ポイント付与・充当方法、買上ポイント付与・充当方法をコンピュータに実行させるプログラム、およびそのプログラムを記録したコンピュータ読み取り可能な記録媒体の好適な実施の形態を詳細に説明する。
【００４１】
（買上ポイント提携システムの概要）
まず、この発明にかかる買上ポイント提携システムの概要について説明する。図１〜３は、この発明の本実施の形態にかかる買上ポイント提携システムの概要を示す説明図である。
【００４２】
図１において、本実施の形態にかかる買上ポイント提携システムは、複数の店舗１０１，１０２と、処理センター１０３とから構成されている。店舗１０１は、たとえばアウトレットショップ（Ａアウトレットショップ（アクセサリショップ））であり、店舗１０１には、買上ポイント（付与・）充当装置（ＰＯＳ端末装置）１１１が備えられている。同様に店舗１０２は、たとえばショッピングセンター（Ｂショッピングセンター（バッグ、シューズ販売店））であり、店舗１０２にも、買上ポイント（付与・）充当装置（ＰＯＳ端末装置）１２１が備えられている。
【００４３】
また、処理センター１０３は、クレジットホスト（ホストコンピュータ）１３１と、ＩＣポイントサーバ（買上ポイント決済処理サーバ）１３２とから構成されている。クレジットホスト１３１は、インターネットを含むネットワーク（図示を省略する）によって各店舗のＰＯＳ端末装置と接続されており、各ＰＯＳ端末装置におけるクレジットカードの使用状況（売上状況）に関する情報を受信する。また、ＩＣポイントサーバ１３２は、インターネットを含むネットワーク（図示を省略する）によって各店舗の買上ポイント（付与・）充当装置（ＰＯＳ端末装置）と接続されており、各買上ポイント（付与・）充当装置における買上ポイントに関する情報を受信する。
【００４４】
ここで、具体的な事例を用いて買上ポイント提携システムの概要（仕組み）を説明する。図２は、この発明の本実施の形態にかかる買上ポイント提携システムの概要（買上ポイントの充当処理の一例）を示す説明図である。まず、顧客はクレジットカード（ＩＣカード）１００を用いて、店舗１０１（オーナー店舗）において４５０００円の買い物をおこなう。図２に示す２０１は、その詳細を示している。図２において、買上が４５０００円であり、今回は買上ポイントを使用しないので、利用金額は４５０００円となる。そして、店舗１０１における（買上）ポイント付与（蓄積）率は３％であるので、４５０００円に対する蓄積（買上）ポイントは１３５０Ｐ（オーナーポイント数）となる。
【００４５】
そして、前回までの蓄積（買上）ポイントが０Ｐであるので、今回の蓄積（買上）ポイントが蓄積（買上）ポイントの合計となって、蓄積（買上）ポイントの合計は１３５０Ｐとなる。その後、同一の顧客が、同一のクレジットカード（ＩＣカード）１００を用いて、店舗１０２（非オーナー店舗）において、３１０００円の買い物をおこなう。図２に示す２０２は、その詳細を示している。
【００４６】
ここで、他店利用（非オーナー店舗利用）なので、蓄積（買上）ポイントに対してあらかじめ定められた店舗間レート（９０％）分だけ、その価値を減ずる。具体的には、１３５０Ｐのオーナーポイントに対して９０％を乗じて、１３５０×９０％＝１２１５Ｐ（非オーナーポイント数）となる。
【００４７】
店舗１０２における買上が３１０００円であるので、全（買上）ポイントを使用すると１２１５円分の（買上）ポイント割引となり、利用金額は２９７９５円となる。上記顧客は、上記２９７９５円をクレジットカード（ＩＣカード）１００を用いて支払いをする。したがって、実際に上記顧客が支払った金額に対しては、店舗１０２において（買上）ポイントが付与（蓄積）される。店舗１０２における（買上）ポイント蓄積率が３％であるので、付与（蓄積）される（買上）ポイントは２９７９５×３％＝８９３Ｐとなる。
【００４８】
そして、すでに蓄積（買上）ポイントをすべて使用しているため、今回の蓄積（買上）ポイントである８９３Ｐが蓄積（買上）ポイント合計となる。このように、オーナー店舗において蓄積した（買上）ポイントであっても、他の店舗で使用することができる。ただし、その（買上）ポイントの価値を減ずることによって、オーナー店舗におけるオーナーズメリット（詳細は後述する）を確保することができる。
【００４９】
ここで、店舗１０２において蓄積されたポイントである８９３Ｐについては、二通りの充当方法が考えられる。第一は、上記８９３Ｐをオーナーポイント（数）とする方法である。この方法の場合に、顧客が再度店舗１０２における買上にポイントを充当する場合、上記８９３Ｐはオーナーポイント（数）であるから、実際に充当する場合は、店舗間レートによって、８９３Ｐ×９０％＝８０４Ｐ分だけ充当することになる。
【００５０】
また、基本的には、店舗１０２(非オーナー店舗)では自社カードでも他社カードでも同じポイント蓄積率とするが、例外的に、店舗１０２でポイント充当時に自社カードと他社カードを差別化したい場合、ポイント付与率を変えるようにしてもよい。具体的には、以下のようにすることができる。
【００５１】
▲１▼店舗１０２で店舗１０２発行のカードに対してはポイント付与率を１００％とする。
0004731030.tif 000002
【００５２】
▲２▼店舗１０２で他社発行のカードに対してはポイント付与率を９０％とする。
0004731030.tif 000003
【００５３】
また、第二は、上記８９３Ｐは店舗１０２において蓄積されたポイントなので、店舗１０２において使用する場合に限り、上記店舗間レートを適用しないとする方法である。その場合は、８９３Ｐとして支払いに充当することができる。この場合は、残りのポイントに蓄積ポイントを合算せずに、付与された店舗ごとに買上ポイントを記録しておくようにする。
【００５４】
つぎに、上記店舗１０１および店舗１０２における買上ポイントの決済処理について説明する。図３は、この発明の本実施の形態にかかる買上ポイント提携システムの概要（決済処理の一例）を示す説明図である。各店舗１０１，１０２における買上情報（カード売上情報）および（買上）ポイント付与・充当に関する情報は処理センター１０３へ送信される。処理センター１０３では、クレジットホスト１３１およびＩＣポイントサーバ１３２が、各店舗から送信された各情報に基づいて決済処理をおこなう。図３は、上記店舗１０１および店舗１０２における買上の決済処理（クレジット）および（買上）ポイント付与・充当の決済処理（提携間共通（買上）ポイントプログラム）の詳細を示している。
【００５５】
図３の３０１において、クレジットに関する決済としては、店舗１０１におけるクレジット利用金額が４５０００円となる。また、加盟店手数料は、４５０００円のクレジット利用金額から、店舗１０１において付与された（買上）ポイント数１３５０Ｐ（円）を減算し（４３６５０円）、それに加盟店手数料率（４％）を乗じた金額が加盟店手数料となる。したがって、今回の加盟店手数料は、１７４６円となる。したがって、クレジットの小計は４３２５４円となる。
【００５６】
図３の３０２においても同様に、クレジットに関する決済は、店舗１０２におけるクレジット利用額が２９７９５円となり、加盟店手数料は、２９７９５円のクレジット利用金額から、店舗１０２において付与された（買上）ポイント数８９３Ｐ（円）を減算し（２８９０２円）、それに加盟店手数料率（３．５％）を乗じた金額が加盟店手数料となる。したがって、今回の加盟店手数料は、１０１１円となる。したがって、クレジットの小計は２８７８４円となる。
【００５７】
つぎに、買上ポイントの決済処理（提携間共通（買上）ポイントプログラム）について説明する。図３の３０２において、まず、（買上）ポイント還元を加算する。（買上）ポイント還元分は、店舗１０２において買上がなされた際、クレジットカード（ＩＣカード）１００に蓄積されていた買上ポイント数（オーナーポイント数）であり、１３５０Ｐである。そして、他店利用差分、すなわち上記オーナーポイント数から、実際に店舗１０２において利用した（買上）ポイント数（非オーナーポイント数）を減算した差分である１３５円を減算する（この他店利用差分についての詳細は後述する）。
【００５８】
そして、さらに、店舗１０２において付与した（買上）ポイント数８９３円を減算する。その結果、提携間共通（買上）ポイントプログラムの小計は３２２円となる。その結果、クレジットの小計とトータルして、店舗１０２へ支払う合計（振込金額）は、２９１０６円となる。
【００５９】
図３の３０１においても同様に決済処理をおこなうことができる。すなわち、まず、（買上）ポイントは使用されなかったので（買上）ポイント還元は０円となる。つぎに、他店利用還元差分を加算する。これは、図３の３０２において、店舗１０２の決済処理の際に減算された他店利用差分１３５円のうち、消費税その他の手数用として５０％を差し引いた残り（６７円）を加算するものである。これが、上述したオーナーズメリットとなる。
【００６０】
すなわちオーナーズメリットとは、他店において（買上）ポイントを使用する場合にオーナー店舗で使用する場合に比べてその価値が減少してしまうことから、顧客はできるだけオーナー店舗で使用しようとする。このことで、実質的な顧客の囲い込みをすることができることである。また、品揃えなどの点から、囲い込みができなかった場合であっても、上記（買上）ポイントの利用差分の全部または一部をオーナー店舗が受け取ることになるため、受け取った分がオーナーズメリットとなる。
【００６１】
今回の決済処理に際しては、オーナー店舗である店舗１０１は顧客の囲い込みをすることができなかったが、その他店利用還元差分（６７円）を受け取ることができた。
【００６２】
店舗１０１は、他店利用還元差分６７円から、買上の際に付与した（買上）ポイント分１３５０Ｐ（円）を減算し、小計で１２８３円のマイナスとなる。これを、クレジットの小計と合算して、店舗１０１への支払い合計金額（振込金額）は、４３２５４円−１２８３円＝４１９７１円となる。
【００６３】
上述の内容をまとめると以下のようになる。
（１）クレジット利用金額：
（ａ）クレジット利用金額とは、買上金額から（買上）ポイント割引分を差し引いた金額である。
（ｂ）クレジット利用金額から（買上）ポイント付与分を差し引いた後、加盟店手数料が計算されることになる。
【００６４】
（２）買上ポイントのファンド：
（ａ）（買上）ポイントのファンドは加盟店負担なので、処理センター（クレジットカード会社）１０３からみると、（買上）ポイント加点は費用請求、（買上）ポイント還元は費用支払いとなる。
（ｂ）（買上）ポイントのファンドは預り金とせず、（買上）ポイント加点は収益、（買上）ポイント還元は支払いとして処理する。
（ｃ）他店舗で（買上）ポイントを利用した場合は、（買上）ポイントの売買取引として消費税などの支払いが求められる場合が想定されるので、消費税その他の手数料のファンドを用意する。
【００６５】
（３）（買上）ポイントファンドの精算タイミング：
クレジットの決済と同じタイミングで一緒に処理するとよい。
【００６６】
（買上ポイント充当装置・ＩＣカードのハードウエア構成）
つぎに、買上ポイント（付与・）充当装置およびＩＣカードのハードウエア構成について説明する。図４は、この発明の本実施の形態にかかる買上ポイント充当装置のハードウエア構成を示す説明図（ブロック図）である。図４のブロック図において、４０１は、装置全体を制御するＣＰＵを、４０２は、基本入出力プログラム（ブートプログラム）などを記憶したＲＯＭを、４０３は、ＣＰＵ４０１のワークエリアとして使用されるＲＡＭを、それぞれ示している。
【００６７】
また、４０４は、ＣＰＵ４０１の制御にしたがってＨＤ（ハードディスク）４０５に対するデータのリード／ライトを制御するＨＤＤ（ハードディスクドライブ）を、４０５は、ＨＤＤ４０４の制御にしたがって書き込まれたデータを記憶するＨＤを、それぞれ示している。
【００６８】
また、４０６は、カーソル、メニュー、ウィンドウ、あるいは文字や画像などの各種データを表示するディスプレイを、４０７は、音声や効果音などを出力するスピーカーをそれぞれ示している。また、４０８は、ＩＣカード１００とのデータの送受信をおこなうリード・ライト・ユニットを示している。リード・ライト・ユニット４０８の詳細については後述する。
【００６９】
また、４０９は、文字、数値、各種指示などの入力のための複数のキーを備えたキーボードを、４１０は、記録紙に印刷するプリンタを、それぞれ示している。４１１は、インターネットなどのネットワークに接続され、上記ネットワークとＣＰＵ４０１とのインタフェースとして機能するモデムあるいはターミナルアダプタなどから構成されるネットワークインタフェース（Ｉ／Ｆ）を、それぞれ示している。そして、４００は、上記各構成部を接続するためのバスである。
【００７０】
また、キーボード４０９は、買上ポイント充当装置の操作指示のための指示ボタン（キー）からなる操作キー群であってもよい。また、その操作キー群は、タッチパネル方式のディスプレイ４０６であり、ディスプレイ４０６上に表示されたソフトキーであってもよい。
【００７１】
さらに図５は、この発明の本実施の形態にかかる買上ポイント提携システムのＩＣカード１００およびそのリード・ライト・ユニット４０８のハードウエア構成を示す説明図（ブロック図）である。
【００７２】
図５のブロックにおいて、（密着型）ＩＣカード１００は、ＣＰＵ５０１とＩ／Ｏポート５０２とメモリ５０３とからなるマイコン部と、非接触電力伝送機能、非接触信号伝送機能、クロック生成機能、リセット信号生成機能などを備えたＲＦＩ／Ｆ５０４からなるＲＦ部と、非接触Ｉ／Ｆ５０５とから構成される。また、リード・ライト・ユニット４０８は、非接触Ｉ／Ｆ５１１と、Ｉ／Ｆ回路５１２とから構成される。また、本実施の形態では非接触型で密接型のＩＣカードの例を示したが、これに限定されることなく、接触型のＩＣカードであってもよい。
【００７３】
（買上ポイント充当装置の機能的構成）
つぎに、この発明の実施の形態にかかる買上ポイント充当装置の機能的構成について説明する。図６は、この発明の実施の形態にかかる買上ポイント充当装置の機能的構成を示す説明図（ブロック図）である。図６のブロック図において、買上ポイント充当装置１２１（１１１）は、受信部６０１と、店舗間レートテーブル６０２と、買上ポイント数換算部６０３と、書き換え部６０４と、充当部６０５と、報知部６０６と、決済情報送信部６０７と、から構成される。
【００７４】
受信部６０１は、買上の金額に応じて顧客に与えられた買上ポイント数であるオーナーポイント数に関するオーナーポイント数情報と、あらかじめ定められた店であるオーナー店舗または前記オーナー店舗の業種に関するオーナー店舗情報とが記録されたＩＣカード１００、上記オーナーポイント数情報および上記オーナー店舗情報を受信する。受信部６０１は、たとえば図４および図５に示すリード・ライト・ユニット４０８によってその機能を実現することができる。すなわち、受信部６０１は、ＩＣカード１００と接続してデータの送受信が可能なインタフェースを備えている。また、上述したように、ＩＣカードには接触型のＩＣカードも含むため、その場合は受信部６０１はＩＣカードの読み取り機能だけを備えるようにしてもよい。
【００７５】
また、店舗間レートテーブル６０２は、あらかじめ定められた店舗間レートや店舗間において買上ポイントの提携（交換）が可能であるか否かに関する情報が記憶されている。この店舗間レートテーブル６０２は、たとえば図４に示したＲＯＭ４０２、ＲＡＭ４０３、ＨＤ４０５によってその機能を実現することができる。
【００７６】
また、買上ポイント数換算部６０３は、オーナーポイント数の全部または一部を、オーナー店舗以外の店舗である非オーナー店舗（すなわち、店舗１０２）における買上に対する支払いの全部または一部に充当する際、受信部６０１によって受信されたオーナー店舗情報に基づくあらかじめ定められた、店舗間レートテーブル６０２に記憶されている店舗間レートによって新たな買上ポイント数である非オーナーポイント数に換算する。
【００７７】
買上ポイント数換算部６０３は、たとえば図４に示したＲＯＭ４０２、ＲＡＭ４０３、ＨＤ４０５などに記憶されたプログラムをＣＰＵ４０１が実行することによってその機能を実現することができる。
【００７８】
また、書き換え部６０４は、上記オーナーポイント数から買上ポイント数換算部６０３による換算の対象となったオーナーポイント数を減算するようＩＣカード１００に記録されたオーナーポイント数情報を書き換える。書き換え部６０４は、たとえば図４および図５に示すリード・ライト・ユニット４０８によってその機能を実現することができる。すなわち、書き換え部６０４は、ＩＣカード１００と接続してデータの送受信が可能なインタフェースを備えている。また、上述したように、ＩＣカードには接触型のＩＣカードも含むため、その場合は書き換え部６０４はＩＣカードへの書き込み機能だけを備えるようにしてもよい。
【００７９】
また、充当部６０５は、（買上）ポイント数換算部６０３によって換算された非オーナーポイント数に応じた金額分を非オーナー店舗である店舗１０２における買上に対する支払いの全部または一部に充当する。充当部６０５は、たとえば図４に示したＲＯＭ４０２、ＲＡＭ４０３、ＨＤ４０５などに記憶されたプログラムをＣＰＵ４０１が実行することによってその機能を実現することができる。
【００８０】
また、買上ポイント数換算部６０３は、オーナー店舗情報に基づいてＩＣカード１００に付与された（買上）ポイントを買上の支払いの全部または一部に充当することが可能か否かを判断する。そして、報知部６０６は、買上ポイント数換算部６０３による判断の結果、充当することができないと判断された場合はその旨を報知する。報知部６０６は、たとえば図４に示したディスプレイ４０６またはスピーカー４０７によってその機能を実現することができる。
【００８１】
また、決済情報送信部６０７は、オーナー店舗情報と、買上ポイント数換算手段による換算の対象となったオーナーポイント数に関する情報と、充当部６０５によって充当の対象となった非オーナーポイント数に関する情報とを、買上ポイントの決済処理をおこなう買上ポイント決済処理サーバであるＩＣポイントサーバ１３２へ送信する。決済情報送信部６０７は、たとえば図４に示したネットワークＩ／Ｆ４１１によってその機能を実現することができる。
【００８２】
また、買上ポイント数換算部６０３は、充当部６０５によって充当された金額分をのぞく買上に応じて買上ポイント数を算出する。そして、書き換え部６０４は、買上ポイント数換算部６０３によって算出された買上ポイント数を加算するようにＩＣカード１００に記憶されたオーナーポイント数情報を書き換える。
【００８３】
また、図示を省略するが、図６に示した店舗間レートテーブル６０２、買上ポイント換算部６０３、書き換え部６０４の各機能を、ＩＣカード１００に持たせることもできる。すなわち、オーナーポイント数に関するオーナーポイント数情報と、オーナー店舗またはオーナー店舗の業種に関するオーナー店舗情報とをメモリ５０３に記憶する。
【００８４】
そして、メモリ５０３に記憶されたオーナーポイント数情報にかかるオーナーポイント数の全部または一部を、非オーナー店舗における買上に対する支払いの全部または一部に充当する際、その非オーナー店舗に関する情報を非接触Ｉ／Ｆ５０５において受信する。さらに、ＣＰＵ５０１が、メモリ５０３に記憶されたオーナー店舗情報および非接触Ｉ／Ｆによって受信された非オーナー店舗に関する情報に基づくあらかじめ定められた（メモリ５０３に記憶されている）店舗間レートによって新たな買上ポイント数である非オーナーポイント数に換算する。そして、非接触Ｉ／Ｆ５０５がリード・ライト・ユニット４０８へ、換算された非オーナーポイント数に関する情報を送信する。
【００８５】
また、ＣＰＵ５０１が、オーナーポイント数から換算の対象となったオーナーポイント数を減算するようメモリ５０３に記憶されたオーナーポイント数情報を書き換えるようにしてもよい。このようにして、買上ポイント充当装置１１１，１２１を用いることなく、他店舗で利用する際に、ＩＣカード１００によって店舗間レートに基づく買上ポイントの価値を減少させることができる。
【００８６】
（買上ポイント決済処理サーバのハードウエア構成）
つぎにこの発明の実施の形態にかかる買上ポイント決済処理サーバであるＩＣポイントサーバ１３２のハードウエア構成について説明する。図７は、この発明の本実施の形態にかかるＩＣポイントサーバ（買上ポイント決済処理サーバ）のハードウエア構成を示す説明図（ブロック図）である。
【００８７】
図７のブロック図において、７０１は、装置全体を制御するＣＰＵを、７０２は、基本入出力プログラム（ブートプログラム）などを記憶したＲＯＭを、７０３は、ＣＰＵ７０１のワークエリアとして使用されるＲＡＭを、それぞれ示している。
【００８８】
また、７０４は、ＣＰＵ７０１の制御にしたがってＨＤ（ハードディスク）７０５に対するデータのリード／ライトを制御するＨＤＤ（ハードディスクドライブ）を、７０５は、ＨＤＤ７０４の制御にしたがって書き込まれたデータを記憶するＨＤを、それぞれ示している。
【００８９】
また、７０６は、ＣＰＵ７０１の制御にしたがってＦＤ（フロッピーディスク）７０７に対するデータのリード／ライトを制御するＦＤＤ（フロッピーディスクドライブ）を、７０７は、ＦＤＤ７０６の制御にしたがって書き込まれたデータを記憶する着脱自在のＦＤを、それぞれ示している。
【００９０】
また、７０８は、カーソル、メニュー、ウィンドウ、あるいは文字や画像などの各種データを表示するディスプレイを、７０９は、一般電話回線または専用回線７１０を介してネットワークに接続され、そのネットワークとＣＰＵ７０１とのインタフェースを、それぞれ示している。また、７１１は、文字、数値、各種指示などの入力のための複数のキーを備えたキーボードを、７１２は、各種指示の選択や実行、処理対象の選択、カーソルの移動などをおこなう、ポインティングデバイスの一例としてのマウスを、それぞれ示している。
【００９１】
また、７１３は、文字や画像を光学的に読み取るスキャナを、７１４は、記録紙に印刷するプリンタを、７１５は、着脱可能な記録媒体であるＣＤ−ＲＯＭを、７１６は、ＣＤ−ＲＯＭ７１５に対するデータのリードを制御するＣＤ−ＲＯＭドライブを、そして、７００は上記各部を接続するためのバスを、それぞれ示している。
【００９２】
（買上ポイント決済処理サーバの機能的構成）
つぎに、この発明の実施の形態にかかる買上ポイント決済処理サーバの機能的構成について説明する。図８は、この発明の本実施の形態にかかるＩＣポイントサーバ（買上ポイント決済処理サーバ）の機能的構成を示す説明図（ブロック図）である。
【００９３】
図８のブロック図において、ＩＣポイントサーバ１３２は、決済情報受信部８０１と、買上ポイント決済額算出部８０２と、オーナーズメリット算出部８０３と、送信部８０４と、から構成される。
【００９４】
ここで、決済情報受信部８０１と、買上ポイント充当装置１２１（の決済情報送信部６０７）から送信された、オーナー店舗に関するオーナー店舗情報と、オーナーポイント数に関するオーナーポイント数情報と、買上ポイント充当装置１２１の充当の対象となった非オーナー店舗における買上に対する支払いの全部または一部に充当する際、オーナー店舗情報に基づくあらかじめ定められた店舗間レートによって新たな買上ポイント数である非オーナーポイント数に関する非オーナーポイント数情報とを受信する。決済情報受信部８０１は、たとえば図７に示したネットワークＩ／Ｆ７０９によってその機能を実現することができる。
【００９５】
また、買上ポイント決済額算出部８０２と、決済情報受信部８０１によって受信されたオーナー店舗情報、オーナーポイント数情報および非オーナーポイント数情報に基づいて、買上ポイント充当装置の換算の対象となったオーナーポイント数を顧客に与えた店舗が支払う支払金額、すなわち図３に示した（買上）ポイント付与に関する（買上）ポイント分の金額を算出する。また、非オーナーポイント数に応じた金額分を買上に対する支払いの全部または一部に充当した店舗へ支払う支払金額、すなわち図３に示した（買上）ポイント還元に関する（買上）ポイント分の金額を算出する。買上ポイント決済額算出部８０２は、たとえば図７に示したＲＯＭ７０２、ＲＡＭ７０３、ＨＤ７０５などに記憶されたプログラムをＣＰＵ７０１が実行することによってその機能を実現することができる。
【００９６】
また、オーナーズメリット算出部８０３と、決済情報受信部８０１によって受信されたオーナー店舗情報、オーナーポイント数情報および非オーナーポイント数情報に基づいて、オーナー店舗へ支払う支払金額、すなわち図３に示した他店利用差分あるいは他店利用還元差分を算出する。オーナーズメリット算出部８０３は、たとえば図７に示したＲＯＭ７０２、ＲＡＭ７０３、ＨＤ７０５などに記憶されたプログラムをＣＰＵ７０１が実行することによってその機能を実現することができる。
【００９７】
また、送信部８０４は、買上ポイント決済額算出部８０２によって算出された決済額およびオーナーズメリット算出部８０３によって算出されたオーナーズメリット（他店利用差分あるいは他店利用還元差分）に関する情報を買上ポイント充当装置１１１，１２１へ送信する。送信された情報は、買上ポイント充当装置１１１，１２１においてディスプレイ４０６に表示されたり、プリンタ４１０によって印刷されたりする。送信部８０４は、たとえば図７に示したネットワークＩ／Ｆ７０９によってその機能を実現することができる。
【００９８】
（ＩＣカードのＩＤと買上ポイントとの関係）
つぎに、ＩＣカードのＩＤと買上ポイントとの関係について説明する。ＩＣカードにおけるオーナー店舗の判定は、基本的にはカード番号や企業コードでおこなう。たとえば、クレジットカードでは、カード番号の最初の４桁でどのクレジット会社が発行したカードかがわかる。さらに５桁目から１０桁目までをみると、このカードの提携先がわかることになる。
【００９９】
また、磁気カードまたはＩＣカードのデータ中には会社コード欄もあり、そこにも企業コードが入っている場合がある。そして、カード上の企業(＝オーナー)とＰＯＳ上の企業コードが一致すれば同一店舗もしくは同一グループと判定する。したがって、ＰＯＳ上にもカードと同様に、カード発行企業ＩＤ、業種識別ＩＤ、グループ識別ＩＤが入ることになる。
【０１００】
図９は、この発明の本実施の形態にかかる買上ポイント充当装置の店舗間レートテーブルの一例を示す説明図であり、ＰＯＳ上にカード発行企業ＩＤのみがセットされている場合を示す説明図である。この場合、カードの買上ポイント共通領域に提携先コードを記入し、これをカード発行企業ＩＤとする。なお、カード発行企業ＩＤのない提携カードは存在しない。
【０１０１】
具体的には、たとえば、全国展開する電気店など、本支店に関係なくすべて同一のカード発行企業ＩＤを記入する。たとえば、Ａ電機＝「２２３４５６７８」、Ｂ電器＝「２５７４５６７８」というようなカード発行企業ＩＤとなる。また、商店街などで発行されるカードもすべて同一のカード発行企業ＩＤとなる。たとえば、練馬駅前商店街＝「９３４５６７８９」、上板橋通り商店街＝「３６８５６７８９」というようなカード発行企業ＩＤとなる。
【０１０２】
そして、この際の、カードの例としては、自社カード９０１、他社カード（業種識別ＩＤなし）９０２、他社カード（業種識別ＩＤあり）９０３、他社カード（業種識別ＩＤあり）９０４がある。ここでは、カード発行企業ＩＤのみが判定の対象となるため、ほかのＩＤ（業種識別ＩＤ、グループ識別ＩＤ）は判定の対象とはしない。したがって、カード発行企業ＩＤが一致する自社カード９０１は、（買上）ポイントが減額されることなく、等価値で利用でき、他のカード９０２，９０３，９０４は、カード発行企業ＩＤが異なるため、（買上）ポイントの価値は利用時に減額されるが、利用することはできることになる。
【０１０３】
また図１０は、この発明の本実施の形態にかかる買上ポイント充当装置の店舗間レートテーブルの別の一例を示す説明図であり、ＰＯＳ上にカード発行企業ＩＤと業種識別ＩＤのみがセットされている場合を示す説明図である。この場合、カードの買上ポイント共通領域に業種識別コードを記入し、これを業種識別ＩＤとする。なお、業種識別ＩＤが「０００」の場合、業種を識別しない（定義しない）カードとする。
【０１０４】
具体的には、たとえば、家電販売を一つの業種とし、家電販売の業種コードを「２１０」すると、Ａ電機＝「２１０」、Ｂ電器＝「２１０」となる。また、商店街を一つの業種として商店街の業種コードを９１０とすると、練馬駅前商店街＝「９１０」、上板橋通り商店街＝「９１０」となる。さらに、百貨店を一つの業種として、百貨店の業種コードを「９３０」とすると、Ｅ百貨店＝「９３０」、Ｆデパート＝「９３０」、Ｇモール＝「９３０」となる。
【０１０５】
そして、この際の、カードの例としては、自社カード１００１、他社カード（業種識別ＩＤなし）１００２、他社カード（業種識別ＩＤあり）１００３、他社カード（業種識別ＩＤあり）１００４、他社カード（業種識別ＩＤあり）１００５がある。ここで、自社カード１００１は、図９においても示したとおり、（買上）ポイントが減額されることなく、等価値で利用できる。
【０１０６】
また、他社カード１００２は、カード発行企業ＩＤが異なるので、（買上）ポイントの価値は利用時に減額の対象となる。業種識別ＩＤが記入されていないため、業種識別ＩＤが異なると判断し、（買上）ポイントはそのまま利用することができる。また、他社カード１００３も、カード発行企業ＩＤが異なるので、（買上）ポイントの価値は利用時に減額の対象となる。そして、業種識別ＩＤも異なるので、（買上）ポイントはそのまま利用することができる。
【０１０７】
また、他社カード１００４は、カード発行企業ＩＤが異なるので、（買上）ポイントの価値は利用時に減額の対象となる。しかし、業種識別ＩＤが同一なため、（買上）ポイントを利用することはできない。このように同一業種の店舗では顧客に対して（買上）ポイントが利用できないようにすることで、同一業種に対しての顧客の囲い込みを図ることができる。
【０１０８】
また、他社カード１００５は、カード発行企業ＩＤが異なるので、（買上）ポイントの価値は利用時に減額の対象となる。また、業種識別ＩＤが異なるが、カード側の業種識別ＩＤが「０００」もしくは異なるため、そのまま利用することができる。
【０１０９】
また図１１は、この発明の本実施の形態にかかる買上ポイント充当装置の店舗間レートテーブルの別の一例を示す説明図であり、ＰＯＳ上にカード発行企業ＩＤと業種識別ＩＤとグループ識別ＩＤがセットされている場合を示す説明図である。この場合、カードの買上ポイント共通領域にグループ識別コードを記入し、これをグループ識別ＩＤとする。なお、グループ識別ＩＤが「０００」の場合、グループを識別しない（定義しない）カードとする。
【０１１０】
具体的には、たとえば、企業グループの番号を、Ｈグループ＝「１０１」、Ｊグループ＝「１０２」となる。また、商店街の場合、練馬駅前商店街＝「２０１」、上板橋通り商店街＝「２０２」となる。
【０１１１】
そして、この際の、カードの例としては、自社カード１１０１、他社カード（業種識別ＩＤなし）１１０２、他社カード（業種識別ＩＤあり）１１０３、他社カード（業種識別ＩＤあり）１１０４、他社カード（業種識別ＩＤあり）１１０５、他社カード（業種識別ＩＤあり）１１０６がある。ここで、自社カード１１０１は、図９および図１０においても示したとおり、（買上）ポイントが減額されることなく、等価値で利用できる。
【０１１２】
また、他社カード１１０２は、カード発行企業ＩＤが異なるので、（買上）ポイントの価値は利用時に減額の対象となる。つぎに、業種識別ＩＤが記入されていないため、業種識別ＩＤが異なると判断し、その場合は、グループ識別ＩＤを見に行く。そして、グループ識別ＩＤが記入されておらず、グループ識別ＩＤが異なると判断するため、（買上）ポイントは利用することができない。
【０１１３】
また、他社カード１１０３も、カード発行企業ＩＤが異なるので、（買上）ポイントの価値は利用時に減額の対象となる。そして、業種識別ＩＤも異なるので、グループ識別ＩＤを見に行き、グループ識別ＩＤが記入されておらず、グループ識別ＩＤが異なると判断するため、（買上）ポイントは利用することができない。
【０１１４】
また、他社カード１１０４は、カード発行企業ＩＤが異なるので、（買上）ポイントの価値は利用時に減額の対象となる。しかし、業種識別ＩＤが同一なため、（買上）ポイントを利用することはできない。このように同一業種の店舗では顧客に対して（買上）ポイントが利用できないようにすることで、同一業種に対しての顧客の囲い込みを図ることができる。
【０１１５】
また、他社カード１１０５は、カード発行企業ＩＤが異なるので、（買上）ポイントの価値は利用時に減額の対象となる。そして、業種識別ＩＤも異なるので、グループ識別ＩＤを見に行き、グループ識別ＩＤが異なるため、（買上）ポイントは利用することができない。
【０１１６】
また、他社カード１１０６は、カード発行企業ＩＤが異なるので、（買上）ポイントの価値は利用時に減額の対象となる。そして、業種識別ＩＤも異なるので、グループ識別ＩＤを見に行き、グループ識別ＩＤが同一であるため、（買上）ポイントを利用することができる。
【０１１７】
（買上ポイント充当装置の処理手順）
つぎに、この発明の実施の形態にかかる買上ポイント充当装置における処理の内容について説明する。図１２は、この発明の本実施の形態にかかる買上ポイント充当装置の処理手順を示すフローチャートである。図１２のフローチャートにおいて、まず、ＩＣカード１００からのカード情報が入力された（受信した）か否かを判断する（ステップＳ１２０１）。
【０１１８】
ここで、カード情報が入力されるのを待って、入力された場合（ステップＳ１２０１：Ｙｅｓ）は、入力されたカード情報の中からオーナー店舗に関する情報を取得（抽出）する（ステップＳ１２０２）。つぎに、自装置（買上ポイント充当装置）がオーナー店舗のものであるか否かを判断する（ステップＳ１２０３）。ここで、オーナー店舗のものであると判断した場合（ステップＳ１２０３：Ｙｅｓ）は、従来技術における（買上）ポイント充当処理であるので、通常処理をおこなう。
【０１１９】
一方、ステップＳ１２０３において、自装置（買上ポイント充当装置）がオーナー店舗のものでない、すなわち、持ち込まれたＩＣカード１００が別のオーナー店舗によって発行されたものである場合（ステップＳ１２０３：Ｎｏ）は、つぎに、自装置の店舗が、ＩＣカード１００に蓄積された買上ポイントを交換（使用）することができるか否かを判断する（ステップＳ１２０４）。
【０１２０】
そして、使用することができると判断した場合（ステップＳ１２０４：Ｙｅｓ）は、つぎに店舗間レートを取得する（ステップＳ１２０５）。その後、ＩＣカード１００から取得した情報のうち、蓄積されている買上ポイント数（オーナーポイント数）、すなわち残っているオーナーポイント数（Ａ）と、そのオーナーポイント数（Ａ）を店舗間レートによって換算した非オーナーポイント数（Ａ’）と、上記店舗間レートを、たとえば、図１４に示すようにディスプレイ４０６に表示する（ステップＳ１２０６）。
【０１２１】
つぎに、使用するオーナーポイント数（Ｂ）の入力があるのを待って、入力がない場合（ステップＳ１２０７：Ｎｏ）は、買上ポイントの使用がキャンセルされたか否かを判断する（ステップＳ１２０８）。ここで、キャンセルされた場合（ステップＳ１２０８：Ｙｅｓ）は、一連の処理を終了する。一方、キャンセルがされていない場合（ステップＳ１２０８：Ｎｏ）はステップＳ１２０７へ移行する。
【０１２２】
そして、ステップＳ１２０７において、使用するオーナーポイント数（Ｂ）の入力があった場合（ステップＳ１２０７：Ｙｅｓ）は、オーナーポイント数の書き換え（Ａ−Ｂ）をおこなう（ステップＳ１２０９）。さらに、オーナーポイント数（Ｂ）を店舗間レートによって換算した非オーナーポイント数（Ｂ’）を支払いに充当する（ステップＳ１２１０）。
【０１２３】
つぎに、ステップＳ１２１０において充当した結果、支払額があったか、すなわち、支払額の方が充当額よりも多かったか否かを判断する（ステップＳ１２１１）。そして、支払額があった場合（ステップＳ１２１１：Ｙｅｓ）は、その支払額に対する（買上）ポイント数を付与（蓄積）し（ステップＳ１２１２）、その後ステップＳ１２１３へ移行する。一方、ステップＳ１２１１において、支払額がなかった場合（ステップＳ１２１１：Ｎｏ）は、何もせずにステップＳ１２１３へ移行する。
【０１２４】
そして、ステップＳ１２１３において、買上ポイントに関する情報をＩＣポイントサーバ１３２へ送信し、一連の処理を終了する。また、ステップＳ１２０４において、（買上）ポイント交換ができないと判断した場合（ステップＳ１２０４：Ｎｏ）は、買上ポイントが利用できない旨を報知し（ステップＳ１２１４）一連の処理を終了する。
【０１２５】
（買上ポイント決済処理サーバの処理手順）
つぎに、この発明の実施の形態にかかる買上ポイント決済処理サーバにおける処理の内容について説明する。図１３は、この発明の本実施の形態にかかる買上ポイント決済処理サーバの処理手順を示すフローチャートである。図１３のフローチャートにおいて、まず、買上ポイントの充当がおこなわれた店舗からの情報を受信したか否かを判断する（ステップＳ１３０１）。
【０１２６】
ステップＳ１３０１において、受信するのを待って、受信した場合（ステップＳ１３０１：Ｙｅｓ）は、つぎに、受信した情報の中から買上ポイントを付与した店舗を特定する（ステップＳ１３０２）。そして、オーナーポイント数から、ステップＳ１３０２において特定された店舗が支払う支払額（Ｘ）を算出する（ステップＳ１３０３）。
【０１２７】
つぎに、受信した情報の中から買上ポイントを充当した店舗を特定する（ステップＳ１３０４）。そして、非オーナーポイント数から、ステップＳ１３０４において特定された店舗が受領する受取額（Ｙ）を算出する（ステップＳ１３０５）。
【０１２８】
つぎに、受信した情報の中からオーナー店舗を特定する（ステップＳ１３０６）。そして、オーナーポイント数から非オーナーポイント数を減算した額（Ｘ−Ｙ）、すなわち他店利用差分の全部または一部をオーナーズメリットとして算出する（ステップＳ１３０７）。
【０１２９】
そして、ほかに支払額あるいは受取額があるか否かを判断し（ステップＳ１３０８）、ある場合（ステップＳ１３０８：Ｙｅｓ）は、相殺処理をおこない（ステップＳ１３０９）、その後ステップＳ１３１０へ移行する。一方、ステップＳ１３０８において、ほかに支払額および受取額がない場合（ステップＳ１３０８：Ｎｏ）は、何もせずにステップＳ１３１０へ移行する。
【０１３０】
ステップＳ１３１０においては、決済処理の状況に関する情報を各店舗に送信する（ステップＳ１３１０）。その後、ステップＳ１３０１へ移行し、初期状態に戻る。
【０１３１】
（買上ポイント充当装置の表示画面の一例）
つぎに、図１４〜図１６を用いて、買上ポイント充当装置１１１，１２１のディスプレイ４０６の表示画面の画面構成の一例について説明する。図１４は、買上の際に、ＩＣカード１００を買上ポイント充当装置１１１，１２１によって読み取らせた際に表示される表示画面の一例である。図１４においては、ＩＣカード１００に蓄積された買上ポイントが当該店舗で利用できる場合であり、現在までの蓄積（買上）ポイント数（オーナーポイント数：１３５０Ｐ）と、当該店舗での換算レート（９０％）と、当該店舗での使用可能（買上）ポイント（非オーナーポイント：１２１５Ｐ）が表示される。
【０１３２】
もしも、ＩＣカード１００に蓄積された買上ポイントが当該店舗で利用できない場合は、図示を省略するが「利用できない」旨の表示をおこなうか、音声等によってその旨を報知することになる。
【０１３３】
つぎに、買上金額が確定した場合に、図１５に示す表示画面を表示する。この場合、（買上）ポイント割引金額（１２１５円）と、新たに蓄積される（買上）ポイント（８９３Ｐ）を表示する。さらに、図１６に示すように顧客が利用したい（買上）ポイント数を指定した場合は、その（買上）ポイント数（９００Ｐ）と、使用後の残り（買上）ポイント（２１５Ｐ）を表示する。このように、各種（買上）ポイント数、換算レートなどを常に顧客に提示することによって、（買上）ポイントに関して顧客が誤解をしないようにすることができる。
【０１３４】
以上説明したように、本実施の形態によれば、オーナー店舗で付与された買上ポイントを非オーナー店舗において使用した場合には、そのポイントの価値が減ぜられ、減ぜられた価値の全部または一部をオーナーズメリットとすることができる。また、各店舗間の決済処理を効率的におこなうことができる。このようにして、顧客の囲い込みなどを含むカード発行者の利益（オーナーズメリット）を担保しつつ、他の店舗との買上ポイントの交換を実現することができる。
【０１３５】
なお、本実施の形態で説明した買上ポイント付与・充当方法は、あらかじめ用意されたプログラムをパーソナル・コンピュータやワークステーション等のコンピュータで実行することにより実現することができる。このプログラムは、ハードディスク、フロッピーディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、上記記録媒体を介して、インターネットなどのネットワークを介して配布することができる。
【０１３６】
【発明の効果】
以上説明したように、この発明によれば、複数の店舗に備えられた買上ポイント付与・充当装置と、前記買上ポイント付与・充当装置において付与・充当された買上ポイントの決済処理をおこなう買上ポイント決済処理サーバとがネットワークで接続されており、前記買上ポイント付与・充当装置が、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、前記オーナーポイント数から前記買上ポイント数換算手段による換算の対象となったオーナーポイント数を減算するよう前記記録媒体に記録されたオーナーポイント数情報を書き換える書き換え手段と、前記ポイント数換算手段によって換算された非オーナーポイント数に応じた金額分を前記非オーナー店舗における買上に対する支払いの全部または一部に充当する充当手段と、前記オーナー店舗情報と、前記買上ポイント数換算手段による換算の対象となったオーナーポイント数に関する情報と、前記充当手段によって充当の対象となった非オーナーポイント数に関する情報とを、前記買上ポイント決済処理サーバへ送信する決済情報送信手段と、を備え、前記買上ポイント決済処理サーバが、前記買上ポイント付与・充当装置から送信された、前記オーナー店舗に関するオーナー店舗情報と、前記買上ポイント充当装置の換算の対象となったオーナーポイント数に関するオーナーポイント数情報と、前記買上ポイント充当装置の充当の対象となった非オーナーポイント数に関する非オーナーポイント数情報とを受信する受信手段と、前記受信手段によって受信されたオーナー店舗情報、オーナーポイント数情報および非オーナーポイント数情報に基づいて、前記買上ポイント充当装置の換算の対象となったオーナーポイント数を前記顧客に与えた店舗が支払う支払金額および／または前記非オーナーポイント数に応じた金額分を買上に対する支払いの全部または一部に充当した店舗へ支払う支払金額を算出する買上ポイント決済額算出手段と、を備えたため、オーナー店舗で付与された買上ポイントを非オーナー店舗において使用した場合には、そのポイントの価値が減ぜられ、これによって、顧客の囲い込みなどを含むカード発行者の利益（オーナーズメリット）を担保しつつ、他の店舗との買上ポイントの交換を実現することが可能な買上ポイント提携システムが得られるという効果を奏する。
【０１３７】
また、この発明によれば、複数の店舗に備えられた買上ポイント付与・充当装置と、前記買上ポイント付与・充当装置において付与・充当された買上ポイントの決済処理をおこなう買上ポイント決済処理サーバとがネットワークで接続されており、前記買上ポイント付与・充当装置が、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取る受取手段と、前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算する買上ポイント数換算手段と、前記オーナーポイント数から前記買上ポイント数換算手段による換算の対象となったオーナーポイント数を減算するよう前記記録媒体に記録されたオーナーポイント数情報を書き換える書き換え手段と、前記ポイント数換算手段によって換算された非オーナーポイント数に応じた金額分を前記非オーナー店舗における買上に対する支払いの全部または一部に充当する充当手段と、前記オーナー店舗情報と、前記買上ポイント数換算手段による換算の対象となったオーナーポイント数に関する情報と、前記充当手段によって充当の対象となった非オーナーポイント数に関する情報とを、前記買上ポイント決済処理サーバへ送信する決済情報送信手段と、を備え、前記買上ポイント決済処理サーバが、前記買上ポイント付与・充当装置から送信された、前記オーナー店舗に関するオーナー店舗情報と、前記買上ポイント充当装置の換算の対象となったオーナーポイント数に関するオーナーポイント数情報と、前記買上ポイント充当装置の充当の対象となった非オーナーポイント数に関する非オーナーポイント数情報とを受信する受信手段と、前記受信手段によって受信されたオーナー店舗情報、オーナーポイント数情報および非オーナーポイント数情報に基づいて、前記オーナー店舗へ支払う支払金額を算出するオーナーズメリット算出手段と、を備えたため、オーナー店舗で付与された買上ポイントを非オーナー店舗において使用した場合には、そのポイントの価値が減ぜられ、減ぜられた価値の全部または一部をオーナーズメリットとすることができ、これによって、顧客の囲い込みなどを含むカード発行者の利益（オーナーズメリット）を担保しつつ、他の店舗との買上ポイントの交換を実現することが可能な買上ポイント提携システムが得られるという効果を奏する。
【０１３８】
また、この発明によれば、上記の発明において、前記記録媒体がＩＣカードであり、前記受取手段および前記書き換え手段が、前記ＩＣカードと接続してデータの送受信が可能なインタフェースを備えているため、買上ポイント数情報の読み出し、書き換えが容易におこなえ、これによって、顧客の囲い込みなどを含むカード発行者の利益（オーナーズメリット）を担保しつつ、他の店舗との買上ポイントの交換を実現することが可能な買上ポイント充当装置が得られるという効果を奏する。
【０１３９】
また、この発明によれば、受取手段が、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とが記録された、コンピュータが読み取り可能な記録媒体から、前記オーナーポイント数情報および前記オーナー店舗情報を受け取り、買上ポイント数換算手段が、前記オーナーポイント数の全部または一部を、前記オーナー店舗以外の店舗（以下「非オーナー店舗」という）における買上に対する支払いの全部または一部に充当する際、前記受取手段によって受け取られたオーナー店舗情報に基づくあらかじめ定められた店舗間レートによって新たな買上ポイント数（以下「非オーナーポイント数」という）に換算し、買い換え手段が、前記オーナーポイント数から前記買上ポイント数換算手段による換算の対象となったオーナーポイント数を減算するよう前記記録媒体に記録されたオーナーポイント数情報を書き換え、充当手段が、前記ポイント数換算手段によって換算された非オーナーポイント数に応じた金額分を前記非オーナー店舗における買上に対する支払いの全部または一部に充当するため、オーナー店舗で付与された買上ポイントを非オーナー店舗において使用した場合には、そのポイントの価値が減ぜられ、これによって、顧客の囲い込みなどを含むカード発行者の利益（オーナーズメリット）を担保しつつ、他の店舗との買上ポイントの交換を実現することが可能な買上ポイント充当装置が得られるという効果を奏する。
【０１４０】
また、この発明によれば、上記の発明において、決済情報送信手段が、前記オーナー店舗情報と、前記買上ポイント数換算手段による換算の対象となったオーナーポイント数に関する情報と、前記充当手段によって充当の対象となった非オーナーポイント数に関する情報とを、買上ポイントの決済処理をおこなう買上ポイント決済処理サーバへ送信するため、買上ポイントの決済処理の効率化を図ることができ、これによって、顧客の囲い込みなどを含むカード発行者の利益（オーナーズメリット）を担保しつつ、他の店舗との買上ポイントの交換を実現することが可能な買上ポイント充当装置が得られるという効果を奏する。
【０１４１】
また、この発明によれば、上記の発明において、判断手段が、前記オーナー店舗情報に基づいて前記記録媒体に付与されたポイントを買上の支払いの全部または一部に充当することが可能か否かを判断し、報知手段が、前記判断手段による判断の結果、充当することができないと判断された場合はその旨を報知するため、買上ポイントの交換がおこなえる店舗であるか否かを容易に顧客に知らしめることができ、これによって、顧客の囲い込みなどを含むカード発行者の利益（オーナーズメリット）を担保しつつ、他の店舗との買上ポイントの交換を実現することが可能な買上ポイント充当装置が得られるという効果を奏する。
【０１４２】
また、この発明によれば、上記の発明において、買上ポイント算出手段が、前記充当手段によって充当された金額分をのぞく買上に応じて買上ポイント数を算出し、前記書き換え手段が、前記買上ポイント算出手段によって算出された買上ポイント数を加算するよう前記記録媒体に記録されたオーナーポイント数情報を書き換えるため、非オーナー店舗においても買上ポイントを蓄積することができ、これによって、顧客の囲い込みなどを含むカード発行者の利益（オーナーズメリット）を担保しつつ、他の店舗との買上ポイントの交換を実現することが可能な買上ポイント充当装置が得られるという効果を奏する。
【０１４３】
また、この発明によれば、上記の発明において、前記記録媒体がＩＣカードであり、前記受取手段が、前記ＩＣカードと接続してデータの送受信が可能なインタフェースを備えているため、買上ポイント数情報の読み出し、書き換えが容易におこなえ、これによって、顧客の囲い込みなどを含むカード発行者の利益（オーナーズメリット）を担保しつつ、他の店舗との買上ポイントの交換を実現することが可能な買上ポイント充当装置が得られるという効果を奏する。
【０１４４】
また、この発明によれば、受信手段が、買上ポイント充当装置から送信された、あらかじめ定められた店舗（以下「オーナー店舗」という）に関するオーナー店舗情報と、前記買上ポイント充当装置の換算の対象となった、買上の金額に応じて顧客に与えられた買上ポイント数（以下「オーナーポイント数」という）に関するオーナーポイント数情報と、前記買上ポイント充当装置の充当の対象となった、前記オーナー店舗以外の店舗（以下「非オーナー店舗」という）における買上に対する支払いの全部または一部に充当する際、前記オーナー店舗情報に基づくあらかじめ定められた店舗間レートによって新たな買上ポイント数（以下「非オーナーポイント数」という）に関する非オーナーポイント数情報とを受信し、買上ポイント決済額算出手段が、前記受信手段によって受信されたオーナー店舗情報、オーナーポイント数情報および非オーナーポイント数情報に基づいて、前記買上ポイント充当装置の換算の対象となったオーナーポイント数を前記顧客に与えた店舗が支払う支払金額および／または前記非オーナーポイント数に応じた金額分を買上に対する支払いの全部または一部に充当した店舗へ支払う支払金額を算出するため、オーナー店舗で付与された買上ポイントを非オーナー店舗において使用した場合には、そのポイントの価値が減ぜられ、また、各店舗間の決済処理を効率的におこなうことができ、これによって、顧客の囲い込みなどを含むカード発行者の利益（オーナーズメリット）を担保しつつ、他の店舗との買上ポイントの交換を実現することが可能な買上ポイント決済処理サーバが得られるという効果を奏する。
【０１４５】
また、この発明によれば、受信手段が、買上ポイント充当装置から送信された、あらかじめ定められた店舗（以下「オーナー店舗」という）に関するオーナー店舗情報と、前記買上ポイント充当装置の換算の対象となった、買上の金額に応じて顧客に与えられた買上ポイント数（以下「オーナーポイント数」という）に関するオーナーポイント数情報と、前記買上ポイント充当装置の充当の対象となった、前記オーナー店舗以外の店舗（以下「非オーナー店舗」という）における買上に対する支払いの全部または一部に充当する際、前記オーナー店舗情報に基づくあらかじめ定められた店舗間レートによって新たな買上ポイント数（以下「非オーナーポイント数」という）に関する非オーナーポイント数情報とを受信し、オーナーズメリット算出手段が、前記受信手段によって受信されたオーナー店舗情報、オーナーポイント数情報および非オーナーポイント数情報に基づいて、前記オーナー店舗へ支払う支払金額を算出するため、オーナー店舗で付与された買上ポイントを非オーナー店舗において使用した場合には、そのポイントの価値が減ぜられ、減ぜられた価値の全部または一部をオーナーズメリットとしてオーナー店舗に与えられ、また、各店舗間の決済処理を効率的におこなうことができ、これによって、顧客の囲い込みなどを含むカード発行者の利益（オーナーズメリット）を担保しつつ、他の店舗との買上ポイントの交換を実現することが可能な買上ポイント決済処理サーバが得られるという効果を奏する。
【０１４６】
また、この発明によれば、記憶手段が、買上の金額に応じて顧客に与えられた買上ポイント数（以下「オーナーポイント数」という）に関するオーナーポイント数情報と、あらかじめ定められた店舗（以下「オーナー店舗」という）または前記オーナー店舗の業種に関するオーナー店舗情報とを記憶し、受信手段が、前記記憶手段によって記憶されたオーナーポイント数情報にかかるオーナーポイント数の全部または一部を、前記オーナー店舗以外の店舗（以下「非オーナー店舗」という）における買上に対する支払いの全部または一部に充当する際、前記非オーナー店舗に関する情報を受信し、買上ポイント数換算手段が、前記記憶手段によって記憶されたオーナー店舗情報および前記受信手段によって受信された非オーナー店舗に関する情報に基づくあらかじめ定められた店舗間レートによって新たな買上ポイント数（以下「非オーナーポイント数」という）に換算し、送信手段が、前記買上ポイント数換算手段によって換算された非オーナーポイント数に関する情報を送信するため、買上ポイント充当装置がなくても、オーナー店舗で付与された買上ポイントを非オーナー店舗において使用した場合には、そのポイントの価値を減ずることができ、これによって、顧客の囲い込みなどを含むカード発行者の利益（オーナーズメリット）を担保しつつ、他の店舗との買上ポイントの交換を実現することが可能なＩＣカードが得られるという効果を奏する。
【０１４７】
また、この発明によれば、上記の発明において、書き換え手段が、前記オーナーポイント数から前記買上ポイント数換算手段による換算の対象となったオーナーポイント数を減算するよう前記記憶手段によって記憶されたオーナーポイント数情報を書き換えるため、買上ポイント充当装置がなくても、オーナー店舗で付与された買上ポイントを非オーナー店舗において使用した場合には、そのポイントの価値を減ずるようにポイント調整をすることができ、これによって、顧客の囲い込みなどを含むカード発行者の利益（オーナーズメリット）を担保しつつ、他の店舗との買上ポイントの交換を実現することが可能なＩＣカードが得られるという効果を奏する。
【０１４８】
また、この発明によれば、買上ポイント数情報記録工程が、買上の金額に応じて顧客に与えられた買上ポイント数（以下「オーナーポイント数」という）に関する情報をコンピュータが読み取り可能な記録媒体を用いて記録し、買上ポイント数換算工程が、前記記録媒体に記録されているオーナーポイント数の全部または一部を、あらかじめ定められた店舗（以下「オーナー店舗」という）以外の店舗（以下「非オーナー店舗」という）における買上に対する支払いの全部または一部に充当する際、前記オーナー店舗または前記オーナー店舗の業種に関する情報に基づくあらかじめ定められた店舗間レートによって新たな買上ポイント数（以下「非オーナーポイント数」という）に換算し、書き換え工程が、前記オーナーポイント数から前記買上ポイント数換算手段による換算の対象となったオーナーポイント数を減算するよう前記記録媒体に記録されたオーナーポイント数情報を書き換え、充当工程が、前記ポイント数換算工程によって換算された非オーナーポイント数に応じた金額分を前記非オーナー店舗における買上に対する支払いの全部または一部に充当するため、オーナー店舗で付与された買上ポイントを非オーナー店舗において使用した場合には、そのポイントの価値が減ぜられ、これによって、顧客の囲い込みなどを含むカード発行者の利益（オーナーズメリット）を担保しつつ、他の店舗との買上ポイントの交換を実現することが可能な買上ポイント付与・充当方法が得られるという効果を奏する。
【０１４９】
また、この発明によれば、上記の発明において、さらに、買上ポイント算出工程が、前記充当工程によって充当された金額分をのぞく買上に応じて買上ポイント数を算出し、前記書き換え工程が、前記買上ポイント算出工程によって算出された買上ポイント数を加算するよう前記記録媒体に記録されたオーナーポイント数情報を書き換えるため、オーナー店舗で付与された買上ポイントを非オーナー店舗において使用した場合には、そのポイントの価値を減ずるようにポイント調整をすることができ、これによって、顧客の囲い込みなどを含むカード発行者の利益（オーナーズメリット）を担保しつつ、他の店舗との買上ポイントの交換を実現することが可能な買上ポイント付与・充当方法が得られるという効果を奏する。
【０１５０】
また、この発明によれば、上記の発明において、ポイント決済額算出工程が、前記オーナー店舗に関するオーナー店舗情報、前記買上ポイント充当装置の換算の対象となったオーナーポイント数に関するオーナーポイント数情報および前記買上ポイント充当装置の充当の対象となった非オーナーポイント数に関する非オーナーポイント数情報に基づいて、前記買上ポイント数換算工程において換算の対象となったオーナーポイント数を前記顧客に与えた店舗が支払う支払金額および／または前記非オーナーポイント数に応じた金額分を買上に対する支払いの全部または一部に充当した店舗へ支払う支払金額を算出するため、オーナー店舗で付与された買上ポイントを非オーナー店舗において使用した場合には、そのポイントの価値が減ぜられ、また、各店舗間の決済処理を効率的におこなうことができ、これによって、顧客の囲い込みなどを含むカード発行者の利益（オーナーズメリット）を担保しつつ、他の店舗との買上ポイントの交換を実現することが可能な買上ポイント付与・充当方法が得られるという効果を奏する。
【０１５１】
また、この発明によれば、上記の発明において、オーナーズメリット算出工程が、前記オーナー店舗に関するオーナー店舗情報、前記買上ポイント充当装置の換算の対象となったオーナーポイント数に関するオーナーポイント数情報および前記買上ポイント充当装置の充当の対象となった非オーナーポイント数に関する非オーナーポイント数情報に基づいて、前記オーナー店舗へ支払う支払金額を算出するため、オーナー店舗で付与された買上ポイントを非オーナー店舗において使用した場合には、そのポイントの価値が減ぜられ、減ぜられた価値の全部または一部をオーナーズメリットとしてオーナー店舗に与えられ、また、各店舗間の決済処理を効率的におこなうことができ、これによって、顧客の囲い込みなどを含むカード発行者の利益（オーナーズメリット）を担保しつつ、他の店舗との買上ポイントの交換を実現することが可能な買上ポイント付与・充当方法が得られるという効果を奏する。
【０１５２】
また、この発明によれば、上記の方法をコンピュータに実行させることによって、上記の動作をコンピュータによって実現することが可能なプログラムが得られるという効果を奏する。
【０１５３】
また、上記の発明によれば、上記の方法をコンピュータに実行させるプログラムを記録したことで、そのプログラムをコンピュータ読み取り可能となり、これによって、上記の動作をコンピュータによって実現することが可能な記録媒体が得られるという効果を奏する。
【図面の簡単な説明】
【図１】この発明の本実施の形態にかかる買上ポイント提携システムの概要（全体構成）を示す説明図である。
【図２】この発明の本実施の形態にかかる買上ポイント提携システムの概要（買上ポイントの充当処理の一例）を示す説明図である。
【図３】この発明の本実施の形態にかかる買上ポイント提携システムの概要（決済処理の一例）を示す説明図である。
【図４】この発明の本実施の形態にかかる買上ポイント充当装置のハードウエア構成を示す説明図（ブロック図）である。
【図５】この発明の本実施の形態にかかる買上ポイント提携システムのＩＣカードおよびそのリード・ライト・ユニットのハードウエア構成を示す説明図（ブロック図）である。
【図６】この発明の本実施の形態にかかる買上ポイント充当装置の機能的構成を示す説明図（ブロック図）である。
【図７】この発明の本実施の形態にかかるＩＣポイントサーバ（買上ポイント決済処理サーバ）のハードウエア構成を示す説明図（ブロック図）である。
【図８】この発明の本実施の形態にかかるＩＣポイントサーバ（買上ポイント決済処理サーバ）の機能的構成を示す説明図（ブロック図）である。
【図９】この発明の本実施の形態にかかる買上ポイント充当装置の店舗間レートテーブルの一例を示す説明図である。
【図１０】この発明の本実施の形態にかかる買上ポイント充当装置の店舗間レートテーブルの別の一例を示す説明図である。
【図１１】この発明の本実施の形態にかかる買上ポイント充当装置の店舗間レートテーブルの別の一例を示す説明図である。
【図１２】この発明の本実施の形態にかかる買上ポイント充当装置の処理手順を示すフローチャートである。
【図１３】この発明の本実施の形態にかかる買上ポイント決済処理サーバの処理手順を示すフローチャートである。
【図１４】この発明の本実施の形態にかかる買上ポイント充当装置の表示画面の一例を示す説明図である。
【図１５】この発明の本実施の形態にかかる買上ポイント充当装置の表示画面の別の一例を示す説明図である。
【図１６】この発明の本実施の形態にかかる買上ポイント充当装置の表示画面の別の一例を示す説明図である。
【符号の説明】
１００  クレジットカード（ＩＣカード）
１０１，１０２  店舗
１０３  処理センター
１１１，１２１  買上ポイント付与・充当装置（ＰＯＳ端末装置）
１３１  クレジットホスト
１３２  ＩＣポイントサーバ
４００，７００  バス
４０１，５０１，７０１  ＣＰＵ
４０２，７０２  ＲＯＭ
４０３，７０３  ＲＡＭ
４０４，７０４  ＨＤＤ
４０５，７０５  ＨＤ
４０６，７０８  ディスプレイ
４０７  スピーカー
４０８  リード・ライト・ユニット
４０９，７１１  キーボード
４１０，７１４  プリンタ
４１１，７０９  ネットワークＩ／Ｆ
５０２  Ｉ／Ｏポート
５０３  メモリ
５０４  ＲＦＩ／Ｆ
５０５，５１１  非接触Ｉ／Ｆ
５１２  Ｉ／Ｆ回路
６０１  受信部
６０２  店舗間レートテーブル
６０３  買上ポイント数換算部
６０４  書き換え部
６０５  充当部
６０６  報知部
６０７  決済情報送信部
７１５  ＣＤ−ＲＯＭ
７１６  ＣＤ−ＲＯＭドライブ
８０１  決済情報受信部
８０２  買上ポイント決済額算出部
８０３  オーナーズメリット算出部
８０４  送信部
【図１】
0004731030.tif 000004
【図２】
0004731030.tif 000005
【図３】
0004731030.tif 000006
【図４】
0004731030.tif 000007
【図５】
0004731030.tif 000008
【図６】
0004731030.tif 000009
【図７】
0004731030.tif 000010
【図８】
0004731030.tif 000011
【図９】
0004731030.tif 000012
【図１０】
0004731030.tif 000013
【図１１】
0004731030.tif 000014
【図１２】
0004731030.tif 000015
【図１３】
0004731030.tif 000016
【図１４】
0004731030.tif 000017
【図１５】
0004731030.tif 000018
【図１６】
0004731030.tif 000019